【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
被施療者が着座可能な座部を備える椅子型のマッサージ機において、
前記座部の両側に夫々配設され、被施療者の腕部を部分的に覆って保持する一対の保持部と、
膨張及び収縮可能な複数の空気袋を重合することによって構成され、前記保持部の内面に設けられる空気袋群とを有し、
前記保持部は、その幅方向に切断して見た断面において被施療者の腕を挿入する開口が形成されていると共に、その内面に互いに対向する部分を有し、
前記空気袋群は、前記内面の互いに対向する部分のうち少なくとも一方の部分に設けられ、
前記一対の保持部は、各々の前記開口が真横を向き、且つ前記開口同士が互いに対向するように配設され、
前記空気袋群は、前記開口側の部分の方が奥側の部分よりも立ち上がるように構成されていることを特徴とするマッサージ機。
【請求項２】
前記保持部は、その断面がＣ字状又はチャネル状に形成されていることを特徴とする請求項１に記載のマッサージ機。
【請求項３】
前記空気袋群を構成する複数の空気袋は、互いに独立して膨張及び収縮可能に構成されていることを特徴とする請求項１又は２に記載のマッサージ機。
【請求項４】
前記保持部は、前後方向に長尺に形成されていることを特徴とする請求項１乃至３のいずれか１つに記載のマッサージ機。
【手続補正２】
【補正対象書類名】明細書
【補正対象項目名】００１０
【補正方法】変更
【補正の内容】
【００１０】
本発明に係るマッサージ機は、被施療者が着座可能な座部を備える椅子型のマッサージ機であって、前記座部の両側に夫々配設され、被施療者の腕部を部分的に覆って保持する一対の保持部と、膨張及び収縮可能な複数の空気袋を重合することによって構成され、前記保持部の内面に設けられる空気袋群とを有し、前記保持部は、その幅方向に切断して見た断面において被施療者の腕を挿入する開口が形成されていると共に、その内面に互いに対向する部分を有し、前記空気袋群は、前記内面の互いに対向する部分のうち少なくとも一方の部分に設けられ、前記一対の保持部は、各々の前記開口が真横を向き、且つ前記開口同士が互いに対向するように配設され、前記空気袋群は、前記開口側の部分の方が奥側の部分よりも立ち上がるように構成されていることを特徴とする。
【手続補正３】
【補正対象書類名】明細書
【補正対象項目名】００１１
【補正方法】変更
【補正の内容】
【００１１】
本発明に係るマッサージ機にあっては、重合して配置される複数の空気袋を膨張・収縮することによって、腕部に与えられる刺激の強さを大きくすることができる。
【手続補正４】
【補正対象書類名】明細書
【補正対象項目名】００１３
【補正方法】変更
【補正の内容】
【００１３】
また、上記発明において、前記保持部は、その断面がＣ字状又はチャネル状に形成されていることを特徴とすることが望ましい。
【手続補正５】
【補正対象書類名】明細書
【補正対象項目名】００１４
【補正方法】変更
【補正の内容】
【００１４】
また、上記発明において、前記空気袋群を構成する複数の空気袋は、互いに独立して膨張及び収縮可能に構成されていることが好ましい。
【手続補正６】
【補正対象書類名】明細書
【補正対象項目名】００１５
【補正方法】変更
【補正の内容】
【００１５】
また、上記発明において、前記保持部は、前後方向に長尺に形成されていることが望ましい。 
【手続補正７】
【補正対象書類名】明細書
【補正対象項目名】００２８
【補正方法】変更
【補正の内容】
【００２８】
以上詳述した如く、本発明に係るマッサージ機によれば、大容量の空気袋を用いることなく、被施療者の腕部に与えられる刺激を大きくすることが可能となる。
【手続補正８】
【補正対象書類名】明細書
【補正対象項目名】００３１
【補正方法】変更
【補正の内容】
【００３１】
（本発明の参考例１）
図１は、本発明の参考例１に係るマッサージ機の構成を示す斜視図である。図１に示す如く、本発明の参考例１に係るマッサージ機１は、座部５，背凭れ部６，及びフットレスト７から主として構成されている。座部５は、水平配置された棒状の脚部５ａをその下部両側に夫々有する基台５ｂの上部に、クッション部５ｃが配されて構成されている。クッション部５ｃは、ウレタンフォーム，スポンジ，又は発泡スチロール製の内装材（図示せず）が基台５ｂの上面に載置されており、更にこれをポリエステル製の起毛トリコット，合成皮革，又は天然皮革等からなる外装材にて覆って構成されている。
【手続補正９】
【補正対象書類名】明細書
【補正対象項目名】００４５
【補正方法】変更
【補正の内容】
【００４５】
次に、本発明の参考例１に係るマッサージ機の動作について説明する。被施療者は、座部５に着座し、背凭れ部６に上体を凭れかけた状態で、上腕部を第１保持部分１１に、前腕部を第２保持部分１２に夫々挿入する。背凭れ部６が後方へ傾倒されたとき、第１保持部分１１は、背凭れ部６とともに後方へ移動する。背凭れ部６の被施療者の肩に当接する位置（以下、肩位置という）は、背凭れ部６の傾倒前後において異なることとなる。即ち、背凭れ部６の傾倒前における肩位置よりも、傾倒後における肩位置の方が、背凭れ部６の下側となる。このとき、第１保持部分１１は、このような肩位置の変化に合わせて、ガイドレール１４に沿って背凭れ部６の長手方向へ移動する。 
【手続補正１０】
【補正対象書類名】明細書
【補正対象項目名】００４８
【補正方法】変更
【補正の内容】
【００４８】
（本発明の参考例２）
図６は、本発明の参考例２に係るマッサージ機の構成を示す斜視図である。図６に示すように、本発明の参考例２に係るマッサージ機１６は、椅子型をなしており、被施療者が着座するための座部１７と、被施療者の上半身を支持するための背凭れ部１８と、被施療者の足置きとして用いられるフットレスト１９とから主として構成されている。
【手続補正１１】
【補正対象書類名】明細書
【補正対象項目名】００６２
【補正方法】変更
【補正の内容】
【００６２】
また、背凭れ部１８のカバー１８ａは、被施療者が着座したときに、被施療者の肩に相当する部分が前方へ張り出した形状となっており、この先端部分に、保持部１０の第１保持部分１１が取り付けられている。この第１保持部分１１の取り付け構造は、本発明の参考例１に係るマッサージ機の第１保持部分１１の取り付け構造と同様であるので、その説明を省略する。
【手続補正１２】
【補正対象書類名】明細書
【補正対象項目名】００６３
【補正方法】変更
【補正の内容】
【００６３】
また、本発明の参考例２に係るマッサージ機１６の保持部１０のその他の構成及び作用は、本発明の参考例１に係るマッサージ機１の保持部１０の構成及び作用と同様であるので、同符号を付し、その説明を省略する。
【手続補正１３】
【補正対象書類名】明細書
【補正対象項目名】００６４
【補正方法】変更
【補正の内容】
【００６４】
（本発明の参考例３）
図７は、本発明の参考例３に係るマッサージ機の構成を示す斜視図である。本発明の参考例３に係るマッサージ機２２は、座部１７の両側部に、肘掛け部２３が夫々設けられている。この肘掛け部２３は、略前後方向に延びており、上下に若干湾曲した如き棒状をなしており、その上面を被施療者の腕置きとして利用することが可能となっている。また、肘掛け部２３の上方には、被施療者の前腕を保持するための保持部２４が配されている。 
【手続補正１４】
【補正対象書類名】明細書
【補正対象項目名】００７３
【補正方法】変更
【補正の内容】
【００７３】
本発明の参考例３に係るマッサージ機２２のその他の構成は、本発明の参考例２に係るマッサージ機１６の構成と同様であるので、同符号を付し、その説明を省略する。 
【手続補正１５】
【補正対象書類名】明細書
【補正対象項目名】００７６
【補正方法】変更
【補正の内容】
【００７６】
（本発明の参考例４）
図９は、本発明の参考例４に係るマッサージ機の構成を示す斜視図である。図９に示す如く、本発明の参考例４に係るマッサージ機２８は、被施療者の上腕を保持するための第１保持部分２９と、被施療者の前腕を保持するための第２保持部分３０とを有する保持部３１を備えている。第１保持部分２９の前端部分と、第２保持部分３０の後端部分とは、可撓性を有する連結部材３１ａによって連結されている。また、第１保持部分２９の後端部分と、背凭れ部１８のカバー部１８ａの一箇所とは、可撓性を有する連結部材３１ｂによって連結されている。なお、連結部材３１ａ，３１ｂの構成は、本発明の参考例３で説明した連結部材２７の構成と同様であるので、説明を省略する。
【手続補正１６】
【補正対象書類名】明細書
【補正対象項目名】００７７
【補正方法】変更
【補正の内容】
【００７７】
また、第２保持部分３０の外面の下部には、移動部材２４ａが取り付けられている。なお、第１保持部分２９及び第２保持部分３０のその他の構成は、本発明の参考例１において説明した第１保持部分１１及び第２保持部分１２の構成と同様であるので、説明を省略する。
【手続補正１７】
【補正対象書類名】明細書
【補正対象項目名】００７８
【補正方法】変更
【補正の内容】
【００７８】
また、本発明の参考例４に係るマッサージ機２８のその他の構成は、本発明の参考例３に係るマッサージ機２２の構成と同様であるので、同符号を付し、その説明を省略する。 
【手続補正１８】
【補正対象書類名】明細書
【補正対象項目名】００７９
【補正方法】変更
【補正の内容】
【００７９】
以上の如き構成により、本発明の参考例４に係るマッサージ機２８では、第１保持部分２９と第２保持部分３０とが連結部材３１ａによって連結されているため、第１保持部分２９と第２保持部分３０との間を、如何なる方向へでも屈曲させることができる。また、第１保持部分２９と背凭れ部１８とが連結部材３１ｂによって連結されているため、背凭れ部１８に対して、第１保持部材を所定の範囲内で如何なる位置へでも移動させることができる。また、凭れ部１８が後方へ傾倒された場合に、連結部材３１ｂによって第１保持部分２９が後方へ引っ張られ、また連結部材３１ａによって第２保持部分３０が後方へ引っ張られて、第２保持部分３０がガイドレール２５に沿って後方へ移動することとなる。よって、背凭れ部１８が後方へ傾倒された場合に、第１保持部分２９と第２保持部分３０との間の角度が変化しつつ、第１保持部分２９が被施療者の上腕とともに、第２保持部分３０が被施療者の前腕とともに、後方へ移動することとなり、背凭れ部１８の傾倒後にも、保持部３１が腕置きとしての役割を十分に発揮することができる。 
【手続補正１９】
【補正対象書類名】明細書
【補正対象項目名】００８０
【補正方法】変更
【補正の内容】
【００８０】
また、本発明の参考例４に係るマッサージ機２８では、第１保持部分２９が、連結部材３１ａ，３１ｂによって、第２保持部分３０及び背凭れ部１８に夫々連結されているので、横方向にも移動することができる。従って、被施療者の体格に合わせて、第１保持部分２９が横方向へ移動することとなり、より一層被施療者に自然な姿勢をとらせることができる。
【手続補正２０】
【補正対象書類名】明細書
【補正対象項目名】００８１
【補正方法】変更
【補正の内容】
【００８１】
（本発明の参考例５）
図１０は、本発明の参考例５に係るマッサージ機の要部の構成を示す拡大斜視図である。本発明の参考例５に係るマッサージ機は、図１０に示す如き保持部３２を備えている。保持部３２は、２つの保持部分３３，３４を備えている。保持部分３３，３４は、夫々幅方向に切断したときの断面視において略Ｃ字状の略半円筒形状をなしており、保持部分３３が前方、保持部分３４が後方に位置するように、前後に並べて同軸的に配置されている。保持部分３３，３４は、夫々略Ｃ字状の断面形状の湾曲板状をなす外殻部３３ａ，３４ａと、外殻部３３ａ，３４ａの内面の略全面に亘って夫々設けられた空気袋３３ｂ，３４ｂと、空気袋３３ｂ，３４ｂの表面に夫々複数設けられた空気袋３３ｃ，３４ｃとから主として構成されている。なお、保持部分３３，３４の構成は、本発明の参考例３において説明した保持部分２６の構成と同様であるので、説明を省略する。 
【手続補正２１】
【補正対象書類名】明細書
【補正対象項目名】００８５
【補正方法】変更
【補正の内容】
【００８５】
また、第２支持部材３６の外面には、移動部材２４ａが取り付けられている。本発明の参考例５に係る移動部材２４ａは、複数のリブによって補強されている。なお、本発明の参考例５に係るマッサージ機のその他の構成は、本発明の参考例３に係るマッサージ機２２の構成と同様であるので、同符号を付し、その説明を省略する。
【手続補正２２】
【補正対象書類名】明細書
【補正対象項目名】００８６
【補正方法】変更
【補正の内容】
【００８６】
以上の如き構成により、本発明の参考例５に係るマッサージ機では、保持部分３３，３４を第１支持部材３５夫々前後方向へ移動することにより、被施療者の腕部の長さに合わせて、保持部３２の長さを調節することができる。 
【手続補正２３】
【補正対象書類名】明細書
【補正対象項目名】００８８
【補正方法】変更
【補正の内容】
【００８８】
（本発明の参考例６）
図１１は、本発明の参考例６に係るマッサージ機の要部の構成を示す拡大斜視図である。本発明の参考例６に係るマッサージ機は、図１１に示す如き保持部３７を備えている。保持部３７は、幅方向の断面視において略Ｃ字状の略半円筒形状をなす保持部分３８と、この保持部分３８より小さい半径の略半円筒形状をなす保持部分３９とを有している。保持部分３８の先端部は、保持部分３９の後端部に重なった状態とされており、図示しない係合構造によって保持部分３８と保持部分３９とが相対的に前後方向へ移動可能な状態で係合されている。
【手続補正２４】
【補正対象書類名】明細書
【補正対象項目名】００９０
【補正方法】変更
【補正の内容】
【００９０】
また、外殻部３８ａの後端の一箇所には、可撓性を有する連結部材４０の一端が接続されている。この連結部材４０の他端は、図示しない背凭れ部に接続されている。また、外殻部３９ａの下部には、連結部材４１の一端が接続されている。この連結部材４１の他端は、図示しない座部に接続されている。このような連結部材４０，４１の構成は、本発明の参考例３で説明した連結部材２７の構成と同様であるので、説明を省略する。 
【手続補正２５】
【補正対象書類名】明細書
【補正対象項目名】００９１
【補正方法】変更
【補正の内容】
【００９１】
なお、本発明の参考例６に係るマッサージ機のその他の構成は、本発明の参考例３に係るマッサージ機２２からガイドレール２５を取り除いたもの同様の構成であるので、同符号を付し、その説明を省略する。
【手続補正２６】
【補正対象書類名】明細書
【補正対象項目名】００９２
【補正方法】変更
【補正の内容】
【００９２】
以上の如き構成により、本発明の参考例６に係るマッサージ機では、保持部分３８と保持部分３９とが相対的に長手方向へ移動することが可能であるので、被施療者の体格に合わせて、保持部３７の長さを調節することができる。
【手続補正２７】
【補正対象書類名】明細書
【補正対象項目名】００９４
【補正方法】変更
【補正の内容】
【００９４】
なお、本発明の参考例６においては、連結部材４１が可撓性を有している構成について述べたが、これに限定されるものではなく、例えば、連結部材４１を棒状部材によって構成し、その上端を外殻部３９ａの下部に取り付け、その下端をユニバーサルジョイントを介して座部に接続する構成としてもよい。
【手続補正２８】
【補正対象書類名】明細書
【補正対象項目名】００９６
【補正方法】変更
【補正の内容】
【００９６】
（本発明の参考例７）
図１２は、本発明の参考例７に係るマッサージ機の構成を示す斜視図である。本発明の参考例７に係るマッサージ機４２は、被施療者の右腕用の第２保持部分１２の先端に、操作パネル４３が設けられている。この操作パネル４３には、図示しない複数の操作ボタンが設けられており、被施療者がこれらを押圧することによりマッサージ機に対して各種の動作指示を行うことができるようになっている。 
【手続補正２９】
【補正対象書類名】明細書
【補正対象項目名】００９７
【補正方法】変更
【補正の内容】
【００９７】
なお、本発明の参考例７に係るマッサージ機４２のその他の構成は、本発明の参考例２に係るマッサージ機１６の構成と同様であるので、同符号を付し、その説明を省略する。 
【手続補正３０】
【補正対象書類名】明細書
【補正対象項目名】００９９
【補正方法】変更
【補正の内容】
【００９９】
（本発明に係る実施の形態）
図１３（ａ）は、本発明に係る実施の形態マッサージ機の保持部の形状を説明する模式的断面図である。本発明に係る実施の形態マッサージ機では、以上で説明した本発明の参考例１〜７において、被施療者の腕部を保持する保持部が、図１３（ａ）で示すような、幅方向に切断したときの断面視において略Ｃ字状の半円筒形状をなしている。
（保持部の形状の参考例）
保持部の形状の参考例として、図１３（ｂ）〜（ｅ）に夫々示す。
【手続補正３１】
【補正対象書類名】明細書
【補正対象項目名】０１０２
【補正方法】変更
【補正の内容】
【０１０２】
（本発明の参考例８）
図１４は、本発明の参考例８に係るマッサージ機の要部の構成を示す拡大斜視図である。本発明の参考例８に係るマッサージ機は、図１４に示す如き保持部４４を備えている。保持部４４は、例えば略長方形の袋状の布製のカバー４４ａの内部に、複数の空気袋（図示せず）が設けられて構成されている。このカバー４４ａの両側縁部には、互いに係合可能なファスナ４４ｂの２つの歯状部材が夫々取り付けられている。従って、ファスナ４４ｂを閉じた場合には、保持部４４は筒状となり、ファスナ４４ｂを開ききった場合には、保持部４４は略長方形状に展開されることとなる。 
【手続補正３２】
【補正対象書類名】明細書
【補正対象項目名】０１０４
【補正方法】変更
【補正の内容】
【０１０４】
なお、以上で説明した本発明の参考例１〜８に係るマッサージ機においては、左腕用の保持部の空気袋と、右腕用の保持部の空気袋とを夫々独立に駆動する構成とすることが望ましい。一般的に、同時に施療する箇所が少ないほど、マッサージ効果は高まると考えられている。これは、多くの箇所を同時に施療するよりも、少ない箇所を同時に施療する方が、施療箇所に対して加わっている刺激に被施療者の意識が集中しやすいためである。従って、被施療者の腕部を片腕毎に施療することにより、両腕を同時に施療する場合に比して、マッサージ効果を高めることが期待できる。また、被施療者の腕部を片腕毎に施療することによって、施療されていない腕でマッサージ機の操作を行うこともできる。
【手続補正３３】
【補正対象書類名】明細書
【補正対象項目名】０１０５
【補正方法】変更
【補正の内容】
【０１０５】
【図１】本発明の参考例１に係るマッサージ機の構成を示す斜視図である。
【図２】本発明の参考例１に係るマッサージ機が備える保持部の構成を示す斜視図である。
【図３】第１保持部分の背凭れ部に対する取り付け構造を示す拡大斜視図である。
【図４】背凭れ部に対する第１保持部分の取付構造を示す断面図である。
【図５】第１保持部分を幅方向へ切断したときの断面図である。
【図６】本発明の参考例２に係るマッサージ機の構成を示す斜視図である。
【図７】本発明の参考例３に係るマッサージ機の構成を示す斜視図である。
【図８】本発明の参考例３に係る肘掛け部及び保持部を幅方向へ切断したときの断面図である。
【図９】本発明の参考例４に係るマッサージ機の構成を示す斜視図である。
【図１０】本発明の参考例５に係るマッサージ機の要部の構成を示す拡大斜視図である。
【図１１】本発明の参考例６に係るマッサージ機の要部の構成を示す拡大斜視図である。
【図１２】本発明の参考例７に係るマッサージ機の構成を示す斜視図である。
【図１３】本発明の実施形態に係るマッサージ機の保持部の形状を説明する模式的断面図である。
【図１４】本発明の参考例８に係るマッサージ機の要部の構成を示す拡大斜視図である。
【図１５】従来のマッサージ機の構成の一例を示す斜視図である。
【手続補正３４】
【補正対象書類名】明細書
【補正対象項目名】０００３
【補正方法】削除
【補正の内容】
【手続補正３５】
【補正対象書類名】明細書
【補正対象項目名】０００４
【補正方法】削除
【補正の内容】
【手続補正３６】
【補正対象書類名】明細書
【補正対象項目名】０００５
【補正方法】削除
【補正の内容】
【手続補正３７】
【補正対象書類名】明細書
【補正対象項目名】０００６
【補正方法】削除
【補正の内容】
【手続補正３８】
【補正対象書類名】明細書
【補正対象項目名】０００７
【補正方法】削除
【補正の内容】
【手続補正３９】
【補正対象書類名】明細書
【補正対象項目名】０００８
【補正方法】削除
【補正の内容】
【手続補正４０】
【補正対象書類名】明細書
【補正対象項目名】０００９
【補正方法】削除
【補正の内容】
【手続補正４１】
【補正対象書類名】明細書
【補正対象項目名】００１２
【補正方法】削除
【補正の内容】
【手続補正４２】
【補正対象書類名】明細書
【補正対象項目名】００１６
【補正方法】削除
【補正の内容】
【手続補正４３】
【補正対象書類名】明細書
【補正対象項目名】００１７
【補正方法】削除
【補正の内容】
【手続補正４４】
【補正対象書類名】明細書
【補正対象項目名】００１８
【補正方法】削除
【補正の内容】
【手続補正４５】
【補正対象書類名】明細書
【補正対象項目名】００１９
【補正方法】削除
【補正の内容】
【手続補正４６】
【補正対象書類名】明細書
【補正対象項目名】００２０
【補正方法】削除
【補正の内容】
【手続補正４７】
【補正対象書類名】明細書
【補正対象項目名】００２１
【補正方法】削除
【補正の内容】
【手続補正４８】
【補正対象書類名】明細書
【補正対象項目名】００２２
【補正方法】削除
【補正の内容】
【手続補正４９】
【補正対象書類名】明細書
【補正対象項目名】００２３
【補正方法】削除
【補正の内容】
【手続補正５０】
【補正対象書類名】明細書
【補正対象項目名】００２４
【補正方法】削除
【補正の内容】
【手続補正５１】
【補正対象書類名】明細書
【補正対象項目名】００２５
【補正方法】削除
【補正の内容】
【手続補正５２】
【補正対象書類名】明細書
【補正対象項目名】００２６
【補正方法】削除
【補正の内容】
【手続補正５３】
【補正対象書類名】明細書
【補正対象項目名】００２７
【補正方法】削除
【補正の内容】
【手続補正５４】
【補正対象書類名】明細書
【補正対象項目名】００２９
【補正方法】削除
【補正の内容】